(57)【要約】  バット（４０１）の識別子（８０２）を読み取るように構成されたリーダ装置（５０１、１９０８）と、前記リーダ装置（５０１、１９０８）に結合され、且つ、前記リーダ装置（５０１、１９０８）によって読み込まれたデータを受信するように構成されたコントローラ（５０２、１９０１）と、を有する光造形装置。前記データは、前記バット（４０１）の使用履歴データを含み、または、前記コントローラ（５０２、１９０１）は、前記データの読み込みに対する応答として、前記バット（４０１）の使用履歴データを、前記バット（４０１）の外部にあるデータベースから読み込むように構成されている。前記コントローラ（５０２、１９０１）は、前記使用履歴データの一部を前記光造形装置の動作パラメータの値として使用しまたはアラームを生成するように構成されている。【選択図】図９
2021529686.tif 000002
【特許請求の範囲】
【請求項１】
光造形装置であって、
バット（４０１）の識別子（８０２）を読み取るように構成されたリーダ装置（５０１、１９０８）と、
前記リーダ装置（５０１、１９０８）に結合され、且つ、前記リーダ装置（５０１、１９０８）によって読み込まれたデータを受信するように構成されたコントローラ（５０２、１９０１）と、を有し、
前記データは、前記バット（４０１）の使用履歴データを含み、または、前記コントローラ（５０２、１９０１）は、前記データの読み込みに対する応答として、前記バット（４０１）の使用履歴データを、前記バット（４０１）の外部にあるデータベースから読み込むように構成され、
前記コントローラ（５０２、１９０１）は、前記使用履歴データの一部を前記光造形装置の動作パラメータの値として使用しまたはアラームを生成するように構成されている、
光造形装置。
【請求項２】
前記使用履歴データの一部の、動作パラメータの値としての前記使用は、物体が製造される前記バット（４０１）の底部（１３０２）上の位置に関連する、請求項１に記載の光造形装置。
【請求項３】
前記リーダ装置（５０１、１９０８）は、前記リーダ装置（５０１、１９０８）と前記バット（４０１）との直接的な物理的接触なしにパラメータデータの前記読み取りを実行するように構成された無線読み取り式リーダ装置である、請求項１または２に記載の光造形装置。
【請求項４】
前記リーダ装置（５０１、１９０８）は、無線トランシーバ、光学撮像検出器（５０１）のうちの少なくとも１つを有する、請求項３に記載の光造形装置。
【請求項５】
前記リーダ装置（５０１、１９０８）は、前記バット（４０１）が動作位置にあるときに前記使用履歴データの読み込みを実行するように構成されている、請求項４に記載の光造形装置。
【請求項６】
前記リーダ装置（５０１、１９０８）は、バット（４０１）が前記光学撮像検出器（５０１）の視野内にあるように方向付けられた光学撮像検出器（５０１）である、請求項５に記載の光造形装置。
【請求項７】
前記光学撮像検出器（５０１）の前記視野は、前記光造形装置の樹脂タンク（８０１）の一部、前記光造形装置のビルドプラットフォーム（４０２）の作業移動範囲に沿った少なくとも１つの位置における前記ビルドプラットフォーム（４０２）のビルド表面（４０３）のうちの少なくとも１つをも含む、請求項６に記載の光造形装置。
【請求項８】
前記コントローラ（５０２、１９０１）は、前記読み取られた識別子を使用して、コンピューティングデバイスから前記使用履歴データを検索するように構成されている、請求項１〜７のいずれかに記載の光造形装置。
【請求項９】
前記コントローラ（５０２、１９０１）は、前記使用履歴データを前記識別子に記憶するように構成され、または、リーダ装置（５０２、１９０１）を使用するコンピューティングデバイスは、前記使用履歴データをそれぞれの位置に書き込み可能である、請求項１〜８のいずれかに記載の光造形装置。
【請求項１０】
前記光造形装置の動作パラメータの少なくとも１つの値として使用する使用履歴データを含む自動的に読み取り可能な識別子（４０５）を有する、請求項１〜９のいずれかに記載の光造形装置用のバット（４０１）。
【請求項１１】
前記自動的に読み取り可能な識別子（４０５）は、無線で読み取り可能な識別子、光学的に読み取り可能な識別子、無線で読み取り可能および書き込み可能なメモリのうちの少なくとも１つを有する、請求項１０に記載のバット（４０１）。
【請求項１２】
光造形装置の動作方法であって、
リーダ装置を使用してバットの識別子を読み込む工程（２００１、２３０１）と、
前記読み込んだデータを前記光造形装置のコントローラに伝達する工程であって、前記データが、前記バット（４０１）の使用履歴データを含み、または、前記コントローラ（５０２、１９０１）を使用して、前記データの読み込みに対する応答として、前記バット（４０１）の使用履歴データを、前記バット（４０１）の外部にあるデータベースから読み取る、工程（２００２）と、
前記使用履歴データの一部を前記光造形装置の動作パラメータの値として使用しまたはアラームを生成する工程と、
を有する、前記方法。
【請求項１３】
前記使用履歴データの一部の、動作パラメータの値として前記使用は、物体が製造される前記バット（４０１）の底部（１３０２）上の位置に関連する、請求項１２に記載の方法。
【請求項１４】
前記方法は、更新された使用履歴データを前記識別子に記憶する工程を有し、前記識別子は、再書き込み可能なメモリを有する、請求項１２または１３に記載の方法。
【請求項１５】
前記リーダ装置は、識別子を読み取り、前記識別子を使用してコンピューティングデバイスから使用履歴データをさらに読み取る、請求項１２〜１４のいずれかに記載の方法。
【請求項１６】
前記方法は、更新された使用履歴データをコンピューティングデバイスに記憶する工程を有する、請求項１２〜１５のいずれかに記載の方法。
【発明の詳細な説明】
【技術分野】
【０００１】
本発明は、光造形付加製造（stereolithographic additive manufacturing）としても知られる光造形３Ｄ印刷（stereolithographic 3D printing）の技術に関する。特に、本発明は、使用履歴データを光造形装置に伝達することに関する。
【背景技術】
【０００２】
光造形（stereolithogaphy）は、適切な原材料を光重合して所望の物体を製造するのに光放射を使用する３Ｄ印刷または付加製造技術である。原材料は、樹脂の形態でプロセスに入る。バットを使用してある量の樹脂を保持し、製造する物体がビルドプラットフォームのビルド表面から始まって層ごとに成長するようにビルドプラットフォームを垂直方向に移動させる。バットをある装置から別の装置に持って来るように１つのバットを数回使用したり異なる光造形装置で使用したりしてもよい。また、異なる樹脂材料を３Ｄ印刷プロセスで使用することも知られている。本明細書は、特に、光造形のいわゆる「ボトムアップ」のバリエーションに関する。この場合、光重合用光放射は、バットの下方から来て、ビルドプラットフォームは、製造が進む間、上方に移動する。
【０００３】
光造形装置を使用することは、未経験のユーザにとってさえ課題を伴うことがある。
【０００４】
使用中にバットの底部は摩耗することがあるため、特定の問題が生じることがある。例えば、製造中の物体がバットの下部から浮き上がると、機械的磨耗を引き起こすことがある。摩耗は、樹脂漏れの原因となることがある。前の製造プロセスからの摩耗および樹脂の残留物は、その後の光造形プロセスにおいて不正確または困難を引き起こす可能性がある。
【発明の概要】
【０００５】
同じバットを何度も何度も使用する場合の課題に鑑みて、改善された構造的解決策および動作方法が必要とされている。
【０００６】
本発明は、上記課題の少なくとも一部を軽減することができる光造形装置およびその動作方法を提供することを目的とする。本発明は、光造形３Ｄ印刷を大幅に自動化することを可能にするとともに、光造形３Ｄ印刷用の樹脂の取り扱いを便利で且つ経済的にすることを可能にするものである。
【０００７】
これらおよび他の有益な目的は、光造形装置に使用されるバットの使用履歴データを読み込む手段を光造形装置に装備することによって達成される。当該手段は、例えば、その視野が当該装置の作業領域の少なくとも一部をカバーする光学撮像検出器を有することができる。
【０００８】
第１の態様によれば、光造形装置が、バットの識別子を読み取るように構成されたリーダ装置と、前記リーダ装置に結合され、且つ、前記リーダ装置によって読み込まれたデータを受信するように構成されたコントローラと、を有する。前記データは、前記バットの使用履歴データを含み、または、前記コントローラは、前記データの読み込みに対する応答として、前記バットの使用履歴データを、前記バットの外部にあるデータベースから読み込むように構成されている。前記コントローラは、前記使用履歴データの一部を前記光造形装置の動作パラメータの値として使用しまたはアラームを生成するように構成されている。
【０００９】
前記光造形装置の一実施形態において、前記使用履歴データの一部の、動作パラメータの値としての前記使用は、物体が製造される前記バットの底部上の位置に関連する。
【００１０】
前記光造形装置の一実施形態において、前記リーダ装置は、前記リーダ装置と前記バットとの直接的な物理的接触なしに使用履歴データの前記読み取りを実行するように構成された無線読み取り式リーダ装置である。
【００１１】
前記光造形装置の一実施形態において、前記リーダ装置は、無線トランシーバ、光学撮像検出器のうちの少なくとも１つを有する。
【００１２】
前記光造形装置の一実施形態において、前記リーダ装置は、前記バットが動作位置にあるときに前記使用履歴データの読み込みを実行するように構成されている。
【００１３】
前記光造形装置の一実施形態において、前記リーダ装置は、バットが前記光学撮像検出器の視野内にあるように方向付けられた光学撮像検出器である。
【００１４】
前記光造形装置の一実施形態において、前記光学撮像検出器の前記視野は、前記光造形装置の樹脂タンクの一部、前記光造形装置のビルドプラットフォームの作業移動範囲に沿った少なくとも１つの位置における前記ビルドプラットフォームのビルド表面のうちの少なくとも１つをも含む。
【００１５】
前記光造形装置の一実施形態において、前記コントローラは、前記読み取られた識別子を使用して、コンピューティングデバイスから前記使用履歴データを検索するように構成されている。
【００１６】
前記光造形装置の一実施形態において、前記コントローラは、前記使用履歴データを前記識別子に記憶するように構成され、または、リーダ装置を使用するコンピューティングデバイスは、前記使用履歴データをそれぞれの位置に書き込み可能である。
【００１７】
前記光造形装置の一実施形態において、前記コントローラは、前記受信された使用履歴データの前記一部を、バットの摩耗した底部のアラームを提供すること、バットの伸張した底部に基づいて幾何学的形状を訂正すること、のうちの少なくとも１つとして使用するように構成されている。
【００１８】
第２の態様によれば、光造形装置用のバットが、前記光造形装置の動作パラメータの少なくとも１つの値として使用する使用履歴データを含む自動的に読み取り可能な識別子を有する。
【００１９】
前記バットの一実施形態において、前記自動的に読み取り可能な識別子は、無線で読み取り可能な識別子、光学的に読み取り可能な識別子、無線で読み取り可能および書き込み可能なメモリのうちの少なくとも１つを有する。
【００２０】
第３の態様によれば、光造形装置の動作方法が、リーダ装置を使用してバットの識別子を読み込む工程と、前記読み込んだデータを前記光造形装置のコントローラに伝達する工程であって、前記データが、前記バットの使用履歴データを含み、または、前記コントローラを使用して、前記データの読み込みに対する応答として、前記バットの使用履歴データを、前記バットの外部にあるデータベースから読み取る、工程と、前記使用履歴データの一部を前記光造形装置の動作パラメータの値として使用しまたはアラームを生成する工程と、を有する。
【００２１】
前記方法の一実施形態において、前記使用履歴データの一部の、動作パラメータの値として前記使用は、物体が製造される前記バットの底部上の位置に関連する。
【００２２】
前記方法の一実施形態において、前記方法は、更新された使用履歴データを前記識別子に記憶する工程を有し、前記識別子は、再書き込み可能なメモリを有する。
【００２３】
前記方法の一実施形態において、前記リーダ装置は、識別子を読み取り、前記識別子を使用してコンピューティングデバイスから使用履歴データをさらに読み取る。
【００２４】
前記方法の一実施形態において、前記方法は、更新された使用履歴データをコンピューティングデバイスに記憶する工程を有する。
【００２５】
上記の態様および実施形態は、互いに任意の組合せで使用されることができることを理解されたい。いくつかの態様および実施形態は、組み合わされて、さらなる実施形態を形成することができる。
【図面の簡単な説明】
【００２６】
添付の図面は、さらなる理解を実施形態に提供し本明細書の一部を構成するために含まれており、実施形態を例示し、明細書と共に、実施形態の原理を説明するのに役立つ。
【００２７】
【図１】蓋を閉じた状態の光造形装置を示す正面図
【図２】蓋を閉じた状態の光造形装置を示す側面図
【図３】蓋を開いた状態の光造形装置を示す正面図
【図４】蓋を開いた状態の光造形装置を示す側面図
【図５】光学撮像検出器の動作位置の一例を示す正面図
【図６】光学撮像検出器の動作位置の一例を示す側面図
【図７】光造形装置の動作領域の一例を示す図
【図８】グラフィカルに表現された情報を樹脂タンクの目に見える表面上に使用する一例を示す図
【図９】光放射器の使用の一例を示す正面図
【図１０】光放射器の使用の一例を示す側面図
【図１１】光放射器を使用してビルド表面を検査する一例を示す図
【図１２】光放射器を使用してビルド表面を検査する一例を示す図
【図１３】光放射器を使用してパターンをバット上に投影する一例を示す図
【図１４】光放射器を使用してパターンをバット上に投影する一例を示す図
【図１５】光放射器を使用してバット内の樹脂量を測定する一例を示す図
【図１６】光放射器を使用してバット内の樹脂量を測定する一例を示す図
【図１７】光放射器を使用してバット内の樹脂量を測定する一例を示す図
【図１８】光学撮像検出器を使用してビルド表面を検査する一例を示す図
【図１９】光造形装置のブロック図の一例を示す図
【図２０】方法の一例を示す図
【図２１】方法の一例を示す図
【図２２】方法の一例を示す図
【図２３】方法の一例を示す図
【発明を実施するための形態】
【００２８】
図１〜図４は、光造形装置の一例を示す。本装置は、光造形３Ｄプリンタ、または光造形付加製造装置とも呼ばれ得る。本装置の基本的な部分は、基部１０１および蓋１０２であり、このうちの蓋１０２は、図１および図２に示す閉位置と図３および図４に示す開位置との間を移動できるように、基部１０１に移動可能に結合されている。ここでは、移動の方向は垂直方向であるが、これは要求事項ではない。基部１０１に対する蓋１０２の移動は、他の方向で行われ得る。この種の可動蓋の重要な利点は、進行中の光造形３Ｄ印刷プロセスが蓋１０２を閉じることによって任意の干渉外部光放射から保護され得ることである。
【００２９】
連結可能かつ取り外し可能であるバット４０１が、光造形３Ｄ印刷プロセスで使用するための樹脂を保持するために、基部１０１に設けられている。ビルド表面４０３を有するビルドプラットフォーム４０２は、ビルド表面４０３がバット４０１に面するようにバット４０１の上方に支持されている。この配置は、光重合用の放射線がバットの下方から来る、光造形のいわゆる「ボトムアップ」のバリエーションに典型的である。バット４０１の底部は、前記光重合に使用される放射線の種類に対して、透明または半透明であるか、または、選択的に透明または半透明にすることができる。記載した実施形態では、バット４０１は、識別子４０５を含む。識別子は、リード／ライトメモリ、光学マーキング、または同様の物とすることができる。
【００３０】
移動機構が設けられ、第１の極限位置と第２の極限位置との間の作業移動範囲内でビルドプラットフォーム４０２を移動させるように構成されている。これらのうち、第１の極限位置は、バット４０１の近位にある位置であり、第２の極限位置は、バット４０１から遠く離れた位置である。第1の極限位置において、ビルド表面４０３は、バット４０１の底部に非常に近い。製造する物体の第１の層は、ビルドプラットフォーム４０２が第１の極限位置にあるときにビルド表面４０３上に光重合される。したがって、前記第１の極限位置において、ビルド表面４０３とバット４０１の底部との間の距離は、光造形３Ｄ印刷プロセスにおける１つの層の厚さのオーダーである。
【００３１】
図３および図４に示す位置は、第２の極限位置であっても、または少なくとも第１の極限位置よりも第２の極限位置に近い位置であってもよい。光造形装置の作業領域は、バット４０１とビルドプラットフォーム４０２の第２の極限位置との間に存在すると言うことができる、なぜなら、製造する物体がこの領域内に現れるからである。ビルドプラットフォーム４０２は、物体の製造中に第２の極限位置まで、またはその近くまで移動する必要はない。第２の極限位置は、物体が完成するとすぐに、製造された物体をビルドプラットフォーム４０２から容易に取り外すことができるようにするために最も有用であり得る。
【００３２】
図１〜図４の実施形態において、ビルドプラットフォーム４０２を移動させるための移動機構は、基部１０１の内側にあり、基部１０１の垂直面に見られる２つのスリット３０１、およびビルドプラットフォーム４０２の水平支持体４０４によって表されるのみである。また、蓋１０２を基部１０１に対して移動させるための、同様に隠れた移動機構も存在する。この第２の移動機構は、基部１０１の内側にある部分および／または蓋１０２の内側にある部分を含むことができる。基本的に全ての移動機構を基部１０１および／または蓋１０２の筐体内に入れることによって、安全性が追加されるという利点が得られる、なぜなら、それによって、そのような機構のどの移動部分によってもユーザが負傷する可能性は起こりそうになくなるからである。
【００３３】
ビルドプラットフォーム４０２の水平支持体４０４は、図面では概略的にのみ示されている。実用的な実装において、ビルドプラットフォーム４０２の支持体は、ビルド表面４０３の向きが適切であることを確実にするためのジョイントおよび／または微調整機構のような、さまざまな高度な技術的特徴を含み得る。しかし、そのような特徴は、本説明の範囲外であり、したがって、ここでは省略する。
【００３４】
図１〜図４の例示的な光造形装置の別の特徴は、ユーザインタフェースであり、これは、蓋１０２に設けられたタッチセンサ式ディスプレイ１０３である。このユーザインタフェースは、蓋１０２およびビルドプラットフォーム４０２の各移動を制御するためのボタンを含むが、これらに限定されず、本装置とそのユーザとの間で対話を行うためのさまざまな機能を有することができる。タッチセンサ式ディスプレイは、特に、光造形装置が、医療クリニックおよび／または歯科医院のように、徹底的な洗浄および消毒が定期的に必要とされる環境で使用される場合に、ユーザインタフェースの有利な特徴である。タッチセンサ式ディスプレイ１０３および／またはユーザインタフェースの他の部分を蓋１０２の前部に配置することは、有利である、なぜなら、それによって、ユーザインタフェースのそのような部分をユーザが容易にアクセスできるようになるからである。したがって、ユーザインタフェースの少なくともいくつかの部分は、基部１０１に実装し得る。
【００３５】
光造形装置に光学撮像検出器を設け、作業領域の少なくとも一部が当該光学撮像検出器の視野内にあるように設置・方向付けされることによって、大きな利点を得ることができる。光学撮像検出器が少なくとも１つの動作位置といくつかの他の位置との間で移動可能である場合、作業領域は、少なくとも光学撮像検出器が前記動作位置にあるときに、光学撮像検出器の視野内に現れなければならない。光学撮像検出器は、その視野内で光学的に検出可能なものを示す光学画像データを生成することができる装置である。ほとんどの光学撮像検出器は、（デジタル）カメラとして特徴付けることができる。しかし、例えば、可視光以外の他の波長で動作する光学撮像検出器があり、これは、必ずしも一般にカメラと呼ばれるわけではない。一般的な適用性を維持するために、本明細書では光学撮像検出器という用語を使用する。
【００３６】
図５および図６は、光学撮像検出器５０１がどのようにして蓋１０２の内側に設置され得るかの一例を概略的に示す。蓋１０２を閉じることによって光学撮像検出器５０１を動作位置に導く。このとき、作業領域の少なくとも一部は、その視野内にある。これは、図７にも示されている。図７では、グラフィカルな明確性のために蓋は省略されている。光学撮像検出器５０１は、蓋１０２の、図５および図６に概略的に示されている部分以外の部分にも配置され得る。光学撮像検出器５０１を支持するさらに別の方法は、例えば伸縮自在のまたは折り畳み可能な支持アームによって、それを基部１０１に固定して、必要でないときにはユーザがそれを脇に移動させることができたり、または、必要なときにだけ光造形装置が自動的に光学撮像検出器を動作位置に持っていくことができたりすることである。また、光学撮像検出器５０１は、支持体４０４がそれに沿ってビルドプラットフォーム４０２を移動させるスリット３０１を有する同じ垂直面のどこかに設置することもできる。
【００３７】
図５および図６に示す光造形装置は、光学撮像検出器５０１から光学画像データを受け取るために、光学撮像検出器５０１に結合されたコントローラ５０２を有する。コントローラ５０２は、そのような光学画像データを光造形装置の動作の制御に使用するように構成され得る。このような制御の例は、本テキストの後半でより詳細に説明される。光学撮像検出器５０１とコントローラとの間の結合は、有線結合または無線結合であってもよく、あるいは、互いの代替として、または互いを増強するものとして、有線および無線の両方の構成要素を有するものであってもよい。
【００３８】
コントローラ５０２は、図５および図６では蓋１０２に設置されて示されているが、代替的に、基部１０１に設置することもできる。コントローラの機能性は、そのある部分は蓋１０２に位置する回路で実現され得る一方で、コントローラの機能性の他の部分は基部１０１に位置する回路で実現され得るように、分散することさえ可能である。コントローラを蓋１０２に配置することは、ユーザインタフェースのような他の電子機器のかなりの部分が蓋１０２に配置される場合、有利であり得る、なぜなら、配線がより単純になり得るからである。ユーザインタフェースは、グラフィカルな明確性を高めるために、図５および図６には示されていない。
【００３９】
コントローラ５０２は、マシンビジョンプロセスを実行して、光学撮像検出器５０１から受け取った光学画像データから物体を認識するように構成され得る。光学画像データは、本質的に、光学撮像検出器５０１によって記録された画像のデジタル表現であり、マシンビジョンは、一般に、画像から情報を抽出することを意味する。したがって、マシンビジョンプロセスを実行することによって、コントローラ５０２は、光学撮像検出器５０１によって見られるさまざまな物体を認識することを可能にする情報を抽出することができる。コントローラ５０２は、そのような認識された物体に基づいて決定を行うように構成され得る。
【００４０】
上記の例において、光学撮像検出器５０１は、バット４０１に関連付けられた識別子４０５を検出するように構成されている。コントローラ５０２は、ネットワーク接続を備えており、識別子５０２に基づいて、バット４０１の使用履歴データを検索するように構成されている。使用履歴データは、ローカルサーバ、中央サーバ、またはクラウドコンピューティング設備などのコンピューティングデバイスから検索される。
【００４１】
本明細書において、バットの「使用履歴データ」とは、タイムスタンプされ得るデータであって、当該バットの動作寿命の過程の間、例えば、その過程を通じて、収集および／または記録された当該バットの使用に関連するデータを指し得る。そのような使用履歴データは、一般に、当該バットのあらゆる関連使用態様に関する１つ以上のデータ、例えば、当該バットと共に使用される樹脂および／もしくは光造形プロセスパラメータに関するデータ、物体が製造された、当該バットの底部上の位置に関するデータ、当該バットのエラー状態および誤動作に関連するデータ、当該バットが使用された光造形装置、および／もしくはそれらの一部、ならびに／または当該バットの修理および／もしくは修正に関するデータを含むことができる。
【００４２】
１つのバットをいくつかの光造形装置と共に使用し、１つの光造形装置をいくつかの異なるバットと共に使用することができる。したがって、各バットの使用履歴をトレースできるように、各バットは、少なくともそれが使用される設備内で固有の識別子番号を有する。
【００４３】
したがって、バットが光造形装置に接続されると、使用履歴が読み取られ、使用後、更新された使用履歴が記憶される。上記の例では、使用履歴がコンピューティングデバイスに記憶されるが、光学リーダの代わりに、バット４０１に取り付けられたメモリを読み書きすることができるデバイスを使用することも可能である。このような場合、識別子は、バット４０１と一緒に使用履歴を運ぶことになる。
【００４４】
バットの使用履歴は、いくつかの方法で使用することができる。１つの一般的な例は、バット４０１と共に使用される材料を決定することである。したがって、光造形装置が材料を選択する場合には、通常、バット４０１は新しいか、または同じ材料と共にのみ使用されていることが望ましい。一般的な使用の別の例は、バット４０１の底部が均等に使用されるように、バット４０１の底部上に構築する物体の位置を決定することである。これにより、底部の全ての位置が使用され、未使用の位置が残らないため、バットの寿命が向上する。寿命の向上により、コストが低減されるのみならず、バット４０１の底部が依然として良好な形状である位置に物体が構築される場合に製造品質の向上が図られる。
【００４５】
コントローラ５０２が認識することができる物体の他の例は、樹脂タンク、または樹脂タンクによって運ばれるグラフィカルに表現された情報である。この種の出願の背景をいくつか提供するために、以下、樹脂の取り扱いの仕事についていくぶんより詳細に説明する。
【００４６】
光造形３Ｄ印刷プロセスで使用する樹脂は、光造形装置に持ち込まれ樹脂タンク内に導入され得る。「樹脂タンク」という名称は、本テキスト中では、光造形３Ｄ印刷プロセスで使用する樹脂の準備のために樹脂を保持することができるあらゆる種類の容器の一般的な記述子として使用される。光造形装置は、樹脂タンクを光造形装置の動作位置に合わせて取り外し可能に収容するためのホルダを有し得る。このようなホルダの一例を、参照符号７０１で図７に示す。樹脂タンクを取り外し可能に収容するためのホルダを設けることは、各光造形３Ｄ印刷ジョブにとても最適な樹脂の使用を確実にするために、ユーザが樹脂タンクを容易に交換することができるという利点を伴う。
【００４７】
ホルダ７０１に取り外し可能に収容され得る樹脂タンクは、好ましくは、一方の端部に開口部を覆うカバーまたはプラグを有し、他方の端部に出口が現れる、細長いカプセルの形態を有し得る。出口は、弁、封止、栓、または明示的に望まれない限り樹脂が樹脂タンクから漏れ出ないようにするその他任意の手段を備え得る。このような細長いカプセル形態の樹脂タンクは、開口部を有する端部が上方にあり、出口がバット４０１の位置またはそれに近い位置にあるように、ホルダ７０１に取り外し可能に収容され得る。
【００４８】
図７の例示的な実施形態では、ピストン７０２が、ビルドプラットフォーム４０２と同じ支持体４０４に取り付けられている。ビルドプラットフォーム４０２が、新しい物体を生成するための開始位置である第１の極限位置を取るために、下方に移動すると、ピストン７０２は、ビルドプラットフォーム４０２と協調して下方に移動する。ピストン７０２のこの移動によって、ホルダ７０１に収容された樹脂タンクから樹脂が送り出されるため、樹脂は出口から流出してバット４０１に流入する。樹脂タンクの上端の開口部を覆っていたカバーまたは栓は、必要に応じて自動的に出口を開く何らかのメカニズムが設けられない限り出口を閉じていた手段と同様に、当然、それ以前に取り外されていなければならない。
【００４９】
ピストン７０２をビルドプラットフォーム４０２と協働して移動させることは、単に例示的な実装であることに留意されたい。これは、２つの部分を移動させるために１つの移動機構のみが必要とされるという利点を伴う。しかし、いくつかの用途では、バット４０１への樹脂の供給を、ビルドプラットフォーム４０２の移動とは独立して制御可能であることが望ましい場合がある。このような用途のために、ビルドプラットフォーム４０２を移動させる機構と、樹脂タンクからバット４０１に樹脂を供給する機構とが別々に存在する実施形態を提示することができる。このような別々の機構は、例えば、その他の点では図７のピストン７０２のようなピストンであって、しかし自身の移動機構によって支持・移動されるピストンを含むことができる。
【００５０】
１つの樹脂タンクに対する１つのホルダ７０１のみが図面に示されているが、光造形装置は、２つ以上のホルダを有してもよく、および／または単一のホルダが、２つ以上の樹脂タンクを収容するように構成されてもよい。特に、異なる樹脂タンクからバット４０１に樹脂を送り出す別々の機構が存在する場合、複数の樹脂タンクを収容するための場所を設けることは、たとえ単一の物体を製造中であったとしても、異なる樹脂を自動的に使用することができるという利点を伴う。このような特徴は、例えば、製造する物体が色のスライド変化を示すべきである場合に、有用であり得る。光造形装置は、異なる色に着色された樹脂の２つのタンクを有することができ、これらの樹脂は、結果として生じるバット内の樹脂の混合物がそれに応じてその色を変えるように、選択された割合でバットに供給されることができる。
【００５１】
図８は、樹脂タンク８０１がホルダ７０１に収容されている場合を概略的に示す。樹脂タンク８０１の目に見える表面（光撮像検出器５０１の視野内で見ることができる）には、グラフィカルに表現された情報の断片（a piece）８０２が設けられている。図８の例では、バーコードが使用されるが、樹脂タンク８０１またはその一部のＱＲコード（登録商標）、色または色の組み合わせのような、任意の他の形式のグラフィカルに表現された情報を使用することができる。グラフィカルに表現された情報の使用は、光学撮像検出器で読み取ることができるという利点を含み、そのために、光造形装置において他の有利な使用もあり得る。
【００５２】
グラフィカルに表現された情報の断片８０２によって運ばれる情報は、有利には、その特定の樹脂タンク８０１に含まれるその樹脂のみに関連するものであるか、またはそれを明らかにする。追加的または代替的に、グラフィカルに表現された情報の断片８０２によって運ばれる情報は、その特定の樹脂タンク自体に関連するものであるか、またはそれを明らかにするものであり得る。当該情報は、例えば、樹脂タンク８０１に収容された樹脂の識別子、樹脂タンク８０１に収容された樹脂の量のインジケータ、樹脂タンク８０１に収容された樹脂の製造日、樹脂タンク８０１に収容された樹脂の推奨使用期限、樹脂タンク８０１の固有識別子、樹脂タンク８０１に収容された樹脂の提供者のデジタル署名、のうちの１つ以上を含み得る。
【００５３】
興味深い特別なケースとして、グラフィカルに表現された情報の断片８０２によって運ばれる情報は、パラメータデータの断片を含むことができる。一方で、コントローラ５０２は、このようなパラメータデータの断片を光造形装置の動作パラメータの値として使用するように構成され得る。このような動作パラメータの例には、樹脂の予熱温度、層露光時間、層厚、ビルドプラットフォームの移動速度、または光造形３Ｄ印刷における２つの連続する方法ステップの間の待ち時間、が含まれるが、これらに限定されない。
【００５４】
取り外し可能に取り付け可能な樹脂タンクを使用して動作パラメータの値を光造形装置に伝達するという概念は、グラフィカルに表現された情報以外をカバーするように一般化することができる。このような他の方法の例は、そのような樹脂タンクの材料に取り付けられたおよび／または埋め込まれたさまざまな種類のメモリ回路を使用することを含むが、これに限定されない。一般的な場合、樹脂タンクは、樹脂タンクの自動的に読み取り可能な識別子を有し、光造形装置は、樹脂タンクの自動的に読み取り可能な識別子からパラメータデータを読み込むように構成されたリーダ装置を有する。リーダ装置は、樹脂タンクをホルダに収容すると同時にリーダ装置を前記自動的に読み取り可能な識別子に接続するように、ホルダ７０１内に接触部材を有することができる。あるいは、リーダ装置は、当該リーダ装置と当該樹脂タンクとの間の直接的な物理的接触なしにパラメータデータの当該読み取りを実行するように構成された無線リーダ装置であってもよい。このような無線リーダ装置の例は、無線トランシーバ（例えば、ＮＦＣ、Ｂｌｕｅｔｏｏｔｈ、または他の短距離無線伝送技術を使用する）および光学撮像検出器である。リーダ装置は、樹脂タンクに異なる種類の自動的に読み取り可能な識別子を入れるために、複数の接触式および／または無線式の技術を有することができる。
【００５５】
また、前記一般的な場合において、光造形装置は、リーダ装置に結合され、且つ、前記リーダ装置によって読み込まれたパラメータデータを受信するように構成されたコントローラを有する。前記コントローラは、前記光造形装置の動作パラメータの値として、前記受信されたパラメータデータの一部（a piece）を使用するように構成されてもよい。
【００５６】
動作パラメータの値を運ぶこのような方法は、例えば、新しい種類の樹脂を最も適切に取り扱うために自動的に動作する光造形装置を予めプログラムしておく必要なく、その新しい種類の樹脂を使用することができるという利点を伴う。これに対して、グラフィカルに表現された情報の断片８０２が、樹脂タンクに含まれる樹脂の種類の特定の識別子だけを含むという場合も考えることができる。このような場合、コントローラ５０２は、特定の樹脂を認識した後、動作パラメータに対して対応する最も適切な値をライブラリから読み取り、使用することができるように、以前に記憶されたパラメータデータのライブラリにアクセスする必要がある。グラフィカルに表現された情報の断片８０２におけるパラメータデータの１つ以上の値を伝達することによって、より柔軟な動作が可能になる、なぜなら、そのようなライブラリは、まったく必要とされないか、または、グラフィカルに表現された情報の断片８０２から全てのパラメータ値を読み取ることができるわけではない場合には、パラメータ値の限られたライブラリのみが必要とされるからである。
【００５７】
したがって、光造形装置が、パラメータデータならびに樹脂および樹脂タンクに関する他の情報の外部データベースにアクセスできることは、排除されない。それに応じて、光造形装置は、外部データベース、クラウドサービス、または同様の使用履歴データ源にアクセスすることができる。例えば、設備が、同じ樹脂タンクまたはバットの少なくともいくつかが交互に使用され得る２つ以上の光造形装置を有する場合、バット、樹脂タンク、およびそれらが含む樹脂についての情報を含む共有データベースを有することが有利であり得る。このような場合、コントローラ５０２は、バット、樹脂、または樹脂タンクについての情報を取得するために、および／または、光造形装置がそのバット、樹脂、または樹脂タンクで現在行っていることに関する情報でデータベースを更新するために、データベースにアクセスすることによって樹脂タンクまたはバットのグラフィカルな識別子が見つけられる画像データの受信に応答することができる。
【００５８】
一実施形態において、光造形装置は、バットの識別子を読み取るように構成されたリーダ装置と、前記リーダ装置に結合され、且つ、前記リーダ装置によって読み込まれたデータを受信するように構成されたコントローラと、有する。前記コントローラは、前記データの読み込みに対する応答として、前記バットの使用履歴データを、前記バットの外部にあるデータベースから読み込むように構成されている。前記コントローラは、前記使用履歴データの一部を前記光造形装置の動作パラメータの値として使用しまたはアラームを生成するように構成されている。
【００５９】
別の実施形態において、光造形装置は、バットの識別子を読み取るように構成されたリーダ装置と、前記リーダ装置に結合され、且つ、前記リーダ装置によって読み込まれたデータを受信するように構成されたコントローラと、を有する。前記データは、前記バットの使用履歴データを含む。前記コントローラは、前記使用履歴データの一部を前記光造形装置の動作パラメータの値として使用しまたはアラームを生成するように構成されている。
【００６０】
リーダ装置が接触式であるか無線式であるかにかかわらず、リーダ装置は、バットまたは樹脂タンクがホルダにおける動作位置にあるときに、パラメータデータの読み込みを実行するように構成され得る。リーダ装置として光学撮像検出器を使用する場合、これは、ホルダに取り外し可能に収容されたバットまたは樹脂タンクが光学撮像検出器の視野内にあるように光学撮像検出器が方向付けられることを意味し得る。
【００６１】
リーダ装置が光学撮像検出器である場合、前述のマシンビジョンプロセスを利用して、光学撮像検出器から光学結像データを受信するために光学撮像検出器に結合されたコントローラは、前記マシンビジョンプロセスを実行して、グラフィカルに表現された情報キャリアの断片をホルダに収容された樹脂タンクによって認識するように構成され得る。コントローラは、前記認識されたグラフィカルに表現された情報からパラメータデータを抽出し、前記抽出されたパラメータデータの一部を前記光造形装置の動作パラメータの値として使用するように構成され得る。
【００６２】
ユーザが常に樹脂タンク８０１を正しい方法で取り付けて、グラフィカルに表現された情報の断片８０２が光学撮像検出器５０１に見えるようにすることを確実にするために、ホルダ７０１は、樹脂タンク８０１を所定の向きで光造形装置に収容させるためのメカニカルキーを有することができる。このとき、樹脂タンク８０１は、当該樹脂タンクを所定の向きで光造形装置に取り付けさせるための、前記メカニカルキー用の相反スロットを有する必要がある。樹脂タンクがメカニカルキーを有し、ホルダが相反スロットを有するように、メカニカルキーと相反スロットの役割を交換することも可能である。ここで、メカニカルキーおよび相反スロットという用語は、一般的な意味で使用される。これは、ユーザが樹脂タンクを光造形装置に所定の向きで取り付けるように導くという目的を果たす、ホルダ７０１および樹脂タンク８０１におけるあらゆる種類の相互に係合する機械的設計を意味する。この目的のために、１対、２対、またはそれ以上の対のメカニカルキーおよび相互スロットが使用され得る。
【００６３】
光学撮像検出器をリーダ装置として使用することは、同じ光学撮像検出器を光造形装置の他の目的にも使用することができるという特定の利点を伴う。このような他の目的は、たとえそれが樹脂タンクからグラフィカルに表現された情報を読み取るのに使用されない場合であっても、光学撮像検出器の提供を実証することさえできる。以下、このような有利な他の目的のいくつかを説明する。
【００６４】
光学撮像検出器の使用の別の利点は、各バットの使用履歴がコンピューティングデバイスに記憶される場合、検出用のより高価で複雑なリーダ／ライタ装置を提供する必要がなく、また、バットと共に使用される識別子が、損傷しやすい再書き込み可能なメモリの代わりに、単純な読み取り専用タグであり得ることである。
【００６５】
図９および図１０は、第１の光放射器９０１および第２の光放射器９０２を有する光造形装置の一部を概略的に示す。同図において、光放射器９０１および９０２は、光学撮像検出器５０１と共に共通の光学モジュールに位置するように示されているが、これは一例にすぎず、いずれか一方または両方を光造形装置の他の場所に配置することも可能である。光造形装置は、第１の光放射器９０１および第２の光放射器９０２の一方のみを有することも、または、光学撮像検出器５０１が他の目的にのみ使用される場合には、そのいずれも有しないことも可能である。また、光造形装置は、２つ以上の光放射器を有することも可能である。
【００６６】
第１の光放射器９０１は、バット４０１の一部にパターンを投影するように構成されている。換言すれば、第１の光放射器９０１によって出される光放射の少なくとも一部は、バット４０１のある部分に当たる。バット４０１の影響を受けた部分は、前記光学撮像検出器５０１がその動作位置にあるとき（つまり、その内側に光学撮像検出器５０１が設置されている光造形装置の蓋が、その閉位置にあるとき）、光学撮像検出器５０１の視野内にある。先に指摘したように、光学撮像検出器５０１は、光造形装置の蓋の内側に設置する必要はなく、どこか別の場所に設置することもできる。ここで説明する目的のためには、第１の光放射器９０１がパターンを投影する前記バットの前記部分が、前記光学撮像検出器が動作位置にあるときに視野内にあるように、光学撮像検出器が設置され、方向付けられていることのみが必要である。
【００６７】
光造形装置のコントローラは、図９および図１０には示されていないが、それは、存在し、光学画像データを受信するために、光学撮像検出器５０１に結合されているものとされる。コントローラは、前記光学画像データを使用してバット４０１内の樹脂の量を算出するように構成されている。
【００６８】
バット４０１内にどれだけの樹脂が存在するかを算出するために光学画像データを使用する原理は、第１の光放射器９０１によって出される光放射がバットの清浄表面からの反射と異なって樹脂から反射するという事実に基づいている。このために、第１の光放射器９０１は、バット内にどれだけの樹脂が存在するかに応じて異なるように樹脂で覆われている、バット４０１の部分に、パターンを投影する必要がある。また、投影されるパターンの輪郭ができるだけシャープであることも、役に立つ。最後に述べた目的を達成するためには、第１の光放射器９０１が、レーザであり、バット４０１の前記部分にレーザ光の少なくとも１つの分散反射を投影するように構成されていれば、有利である。
【００６９】
分散反射は、空間分散反射とも呼ぶことができる。これは、（単一のレーザビーム自体によって生成される）まさに単一のスポットを超えるスポットから成る反射を意味する。レーザ光の分散反射は、例えば、レーザ源を物理的に回転させることによって、および／または、少なくとも１つのレーザ源と、当該レーザ源によって生成された線状レーザビームを、例えば扇形または円錐形のような形状に広げるように構成された少なくとも１つのレンズとを使用することによって、生成することができる。図９および図１０では、一例として、扇状の形状が考えられている。図９では、ビューが扇の平面内にあるため、分散レーザ光の扇状の形状が１本の線として見えている。図１０では、ビューが扇状の平面に垂直であるため、扇状の形状がはっきり見えている。
【００７０】
図１３は、バット４０１、光学撮像検出器５０１、および第１の光放射器９０１の単純化された不等角投影図であり、スリット３０１は、これらの部品が光造形装置においてどのように配置されているかのリマインダとして背景に見えている。図１３では、バット４０１内に樹脂は存在しない。第１の光放射器９０１がそのパターンを投影するバット４０１の部分は、バット４０１のリム１３０１の一部を含む。第１の光放射器９０１は、反射がリム１３０１のエッジ部からバット４０１の底部１３０２に向かって直線的に延在するように、分散反射をリム１３０１に投影するように構成されている。
【００７１】
図１４は、第１の光放射器５０１がバット４０１の複数の部分に複数のパターンを投影する方法の一例を示す。図１４において、第１の光放射器９０１は、少なくとも２つの別々の分散反射のレーザ光を前記リムに投影するように構成されている。ここでは、２つのレーザビームが存在し、それぞれ扇形の形状に広げられているため、各分散反射は、リムのエッジ部からバット４０１の底部に向かって直線的に延在している。
【００７２】
図１５において、状況はその他の点で図１３と同じであるが、しかしバット４０１には樹脂が存在している。ここで、樹脂は、第１の光放射器９０１によって出されたレーザ光を比較的効果的に吸収する一方で、バット４０１の材料は、比較的良好な反射器であり、その表面に非常に明瞭でシャープな反射が現れるものとされる。線状反射１５０１の長さは、リム１３０１がどの程度乾燥しているか（つまり、樹脂によって濡れていないか）を示す。バット４０１の寸法が既知の場合、線状反射１５０１の長さを測定することは、バット４０１内の樹脂の量を算出するのに十分である。一般に、光学画像データを受信するために光学撮像検出器５０１に結合されたコントローラは、前記光学画像データから前記投影されたパターンの画像を認識するように構成され、且つ、前記投影されたパターンの前記画像の１つ以上の検出された寸法からバット５０１内に保持されている樹脂の量を算出するように構成されていると言うことができる。
【００７３】
光造形装置のコントローラは、マシンビジョンプロセスを実行して上述のステップを行うように構成され得る。コントローラは、まず、光学撮像検出器５０１によって撮影された少なくとも１つの画像であって観察されたパターンがバット４０１の影響を受けた部分に現れる画像を見つけて選択することができる。前記少なくとも１つの画像において、コントローラは、観察されたパターンに寄与する画素の、画像フレームの座標系内の座標を調べることができる。コントローラは、観察されたパターンの端部を表すように見える画素の座標を見つけ、これらの座標間の差を算出することができる。算出された差を、考えられる算出された差のルックアップテーブルに対してマッピングすることによって、または、ある他の形態の意思決定アルゴリズムを実行することによって、結果として、バット内の樹脂の測定量を得ることができる。
【００７４】
図１３〜１５における共通の特徴は、反射が前記リムの水平エッジ部からバットの底部に向かって垂直に延在するように、第１の光放射器９０１におけるレーザが、少なくとも１つの分散反射をリム上に投影するように構成されていることである。換言すれば、線状反射１５０１は、バット４０１のリム１３０１上の垂直線である。これは、唯一の可能性ではない。図１６は、代替的実施形態を概略的に示す。この場合、レーザは、前記リムの水平エッジ部から前記バットの底部に向かって斜めに延在するように、前記少なくとも１つの分散反射を前記リム上に投影するように構成されている。言い換えれば、図１６では、リム１３０１上の線状反射１６０１は、斜めに方向付けられている。
【００７５】
図１６のような形状は、多くの利点を提供する、なぜなら、光学撮像検出器５０１によって生成される光学画像データは、分析する特徴を図１５の場合よりも多く含んでいるからである。バット内の樹脂のレベルの変化は、リム１３０１の表面上の扇形のレーザビームの線状反射１６０１に、図１５よりも大きな変化をもたらす。これにより、バット４０１内の樹脂の量の小さな変化でさえ容易に検出することができるようになる。また、樹脂の表面が十分に滑らかで反射性である場合、リム１３０１の表面上に二次反射１６０２を観察することができるため、反射１６０１と反射１６０２との間のコーナポイントは、バット４０１内の樹脂表面のレベルをかなり正確に示している。マシンビジョンプロセスがこのようなコーナポイントを認識する場合、バット４０１内の樹脂量の算出でかなり正確な結果を与えることができる。
【００７６】
図１７は、パターン、つまり分散反射が、連続的ではなく、区別できるスポットから成っている、さらに別の代替実施形態を示す。たとえ図１７においてスポットが直線状に配置されているとしても、これは必要条件ではない。パターンは、どのように当該パターンが完全に空のバットから得られるパターンと異なるかを観察することによって、およびバットの寸法を知ることによって、バット内に現在存在する樹脂の量を算出することを可能にする任意の形状であり得る。
【００７７】
光造形装置がバット内の樹脂の表面レベルを自動的に検出することを可能にすることは、多くの利点を伴う。一例として、より多くの樹脂をバットに送り出す前に、当該装置は、すでにどれくらいの樹脂（もしあれば）が存在するかをチェックすることができる。樹脂は比較的高価であり、また、任意の樹脂を任意の種類のタンクまたは他の長期保管場所に戻すことは煩わしいため、すでにバット内に送り出されたすべての樹脂を常に使い果たすことが望ましい。これは、光造形３Ｄ印刷の次の既知のタスクを完了するために必要とされるだけの、バット内に既に存在するものを増強するための、新しい樹脂を供給することのみとほぼ同義である。特定の三次元物体を製造するための命令を受け取る制御ソフトウェアの一部に対して、製造する物体の体積を算出することは比較的簡単である。このとき、算出された体積は、実際に物体を製造するのに必要とされる樹脂の量と同じである。
【００７８】
光造形は、樹脂のいくつかの厳密に限定された部分のみを光重合することに基づいていると考えると、意図しない光重合を引き起こす可能性がある他の目的（バット内の未使用の樹脂の量を測定するなど）のためにこのような光放射器を使用しないように注意すべきである。したがって、第１の光放射器９０１は、所定のカットオフ波長よりも長いかまたはせいぜい等しい波長の光放射のみを放出するように構成されるように、選択されることが望ましい。前記カットオフ波長は、光造形において樹脂を光重合するのに使用される波長よりも長くなるように選択されるべきである。紫外線がしばしば光重合に使用されるため、前記カットオフ波長は、可視光の範囲内であり得る。レーザ光は単色であるため、第１の光放射器９０１にレーザ光源が使用される場合、レーザ光の波長は、前記カットオフ波長と同義である。当然、第１の光放射器９０１の波長は、その反射が光学撮像検出器５０１によって容易に検出可能であるように選択されなければならない。
【００７９】
光学撮像検出器５０１が、第２の光放射器９０２と共に、光造形装置で使用され得る別の目的が、図１１および図１２に示されている。背景をいくつか提供するために、ビルドプラットフォーム４０２のビルド表面４０３が、光造形３Ｄ印刷ジョブの開始時にバットの底部に非常に近づくことに留意されたい。このため、ビルド表面４０３は、ビルドプラットフォーム４０２が先に述べた第１の極限位置である開始位置に下降される前に、適切に方向付けられ、且つ、どんな固体物質のどんな断片もない状態であるべきである。あいにく、ユーザが以前に製造された物体をビルド表面４０３から取り外すことを忘れてしまうことが起こり得る。たとえユーザが以前に製造された実際の物体を取り外した場合であっても、固体の部分がいくつかビルド表面４０３上に残ることが起こり得る。これらは、例えば、たとえそれらが製造する実際の物体の一部を形成しなかったとしても、機械的安定性を提供するために、以前の３Ｄ印刷ジョブの一部として生成されなければならなかった支持ストランドまたはブリッジであり得る。
【００８０】
ビルド表面に何か固体が付着した状態でビルドプラットフォームを最初の極限位置に移動させることは、バットの底部を壊したり、ビルドプラットフォームの移動機構および／または支持構造に損傷を与えたりするなど、深刻な結果を招く場合がある。考えられる防護対策の１つは、ビルドプラットフォームを最初の極限位置に向かって移動させるときに移動機構が受ける荷重を監視し、荷重が増大しているように見える場合にその移動を停止することである。しかし、移動機構の荷重が増大していることを観察することは、ビルド表面上の望ましくない固体残留物とバットの底部との間にすでに接点が形成されており、すでに遅すぎるかもしれないことを意味する。
【００８１】
図９〜図１２は、（第２の）光放射器９０２および光学撮像検出器５０１を使用して、ビルド表面４０３上に望ましくない固体残留物が存在する場合に、ビルドプラットフォーム４０２が誤ってバット４０１の底部に近づき過ぎないようにするのに役立つ防護対策を設定する原理を示す。当該原理は、第２の光放射器９０２が光学撮像検出器５０１の視野内にある間に、第２の光放射器９０２を使用してパターンをビルド表面４０３上に投影し、前記パターンを調べて、このパターンの観察された形態が、ちょうどそこにあるべき平面以外のものが存在する可能性があることを示すかどうかを判断することに基づいている。
【００８２】
前述の説明から、光造形装置は、ビルドプラットフォーム４０２を第１の極限位置と第２の極限位置との間の作業移動範囲内で移動させるように構成された移動機構を有することが思い出され得る。第２の光放射器９０２は、ビルドプラットフォーム４３０２が前記第１の極限位置と前記第２の極限位置との間の少なくとも１つの所定位置にあるときに、ビルド表面４０３上にパターンを投影するように構成されている。光学撮像検出器５０１は、ビルドプラットフォーム４０２が前記所定の位置にあるときに前記投影されたパターンがその視野内にあるように設置され、方向付けられている。光造形装置のコントローラは、光学撮像検出器５０１から光学像データを受け取るために、光学撮像検出器５０１に結合されている。また、コントローラは、前記光学画像データを使用して、ビルド表面のデフォルト形態からの例外がないかビルド表面４０３を検査するように構成されている。
【００８３】
ビルド表面４０３のどの部分も望ましくない固体残留物を含まないことを確認するためには、投影されたパターンでビルド表面４０３全体を覆うことが有利であろう。これは、例えば、レーザ源と、レーザビームを互いに近いドットの規則的な二次元マトリックスに分配するレンズとを使用することによって行うことができる。そして、マシンビジョンアルゴリズムが、光学撮像検出器５０１によって撮像された画像を分析して、その画像に見られるドットのアレイに何らかの不規則性があるか否かを伝えることができる。
【００８４】
図９〜１２の実施形態では、わずかに異なるアプローチが採用されている。第２の光放射器９０２は、ビルド表面４０３の影響を受けた部分に前記パターンを投影するように構成されており、この影響を受けた部分は、ビルドプラットフォーム４０２が図１１の矢印１１０１に従って第１の極限位置と第２の極限位置との間の途中の位置の範囲を移動するときに、ビルド表面４０３を横切って位置を変える。
【００８５】
前記位置範囲は、第１の極端位置と第２の極端位置との間の全範囲を占める必要はなく、好ましくは、それの小さなサブ範囲のみを占める。しかし、この位置範囲全体にわたって、光学撮像検出器５０１は、投影されたパターンが現れる、ビルド表面４０３の少なくともその部分を見るべきである。換言すれば、前記位置範囲内の各位置は、上記した所定の位置、つまり、第２の光放射器９０２によってビルド表面４０３上に投影されたパターンが光学撮像検出器５０１の視野内にある位置でなければならない。
【００８６】
この実施形態では、第２の光放射器９０２が光放射を放出する方法は、ビルドプラットフォーム４０２が前記位置範囲を移動する間、同じままであってもよい。前記移動によって、放出された光放射が、前記位置範囲の各位置でビルド表面４０３の異なる部分に当たるようになるため、結局、放出された光放射は、次々にビルド表面４０３の実質的に全ての部分に当たったことになる。放出された光放射がビルド表面４０３の完全に平坦な（またはその他周知の）形態上に生成すべきパターンを知っていることにより、このような予想されるパターンからの例外が光学撮像検出器５０１によって観察されれば、それは、そこにはないはずの何かがビルド表面４０３上にあることを意味する。
【００８７】
図９〜図１２に示す実施形態において、第２の光放射器９０２は、ビルド表面４０３の影響を受けた部分に、レーザ光の少なくとも１つの分散反射を投影するように構成されたレーザである。先に説明した第１の光放射器９０１の実施形態と同様の比較的単純なアプローチが使用される場合、第２の光放射器９０２のレーザは、少なくとも１つのレーザ源と、前記レーザ源によって生成された線状レーザビームを扇状の形状に広げるように構成された少なくとも１つのレンズと、を有することができる。ビルド表面４０３に連続して生成されるパターンは、ビルドプラットフォーム４０２が存在する高さに依存する位置でビルド表面４０３と交差する直線１１０２である。
【００８８】
光造形装置のコントローラは、マシンビジョンプロセスを実行して、光学撮像検出器５０１から受信した光学画像データがビルド表面４０３のデフォルト形態からの例外を示すかどうかを決定するように構成され得る。ビルド表面４０３が平坦であり、第２の光放射器９０２が扇形のレーザビームを生成する上記の実施形態において、コントローラは、まず、光学撮像検出器５０１によって撮影された全ての画像であって扇形のレーザビームの観察された反射がビルド表面４０３上に現れる全ての画像を見つけて選択することができる。これらの選択された画像のそれぞれにおいて、コントローラは、扇形レーザビームの観察された反射に寄与する画素の、画像フレームの座標系内の座標を調べることができる。コントローラは、これらの画素の座標に直線を当てはめ、前記画素の座標がその当てはめられた直線の方程式にどれだけ良好に従うかを示す１つまたは複数の統計的記述子を算出することができる。これらの統計的記述子のいずれかがある所定の閾値よりも大きい場合、コントローラは、ビルド表面４０３のデフォルト形態からの例外が見つかったと判断することができる。
【００８９】
一般に、コントローラは、前記ビルド表面の前記デフォルト形態からの例外が見つからなかったことに対する応答として光造形装置の動作の継続を許容し、または、前記ビルド表面の前記デフォルト形態からの例外が見つかったことに対する応答として光造形装置の動作を中断するように構成され得る。動作を中断することは、ユーザインタフェースを介して当該装置のユーザに警告を与え、ユーザにビルド表面をチェックし、固化した樹脂の残留物を除去するように促すことを伴い得る。
【００９０】
光造形は、樹脂のいくつかの厳密に限定された部分のみを光重合することに基づいていると考えると、意図しない光重合を引き起こす可能性がある他の目的（ビルド表面のデフォルト形態からの例外がないかビルド表面を検査するなど）のためにこのような光放射器を使用しないように注意すべきである。したがって、第２の光放射器９０２は、所定のカットオフ波長よりも長いかまたはせいぜい等しい波長の光放射のみを放出するように構成されるように、選択されることが望ましい。前記カットオフ波長は、光造形において樹脂を光重合するのに使用される波長よりも長くなるように選択されるべきである。紫外線がしばしば光重合に使用されるため、前記カットオフ波長は、可視光の範囲内であり得る。レーザ光は単色であるため、第２の光放射器９０２にレーザ光源が使用される場合、レーザ光の波長は、前記カットオフ波長と同義である。当然、第２の光放射器９０２の波長は、その反射が光学撮像検出器５０１によって容易に検出可能であるように選択されなければならない。
【００９１】
図１８は、上記の実施形態の代わりに、またはそれに加えて、ビルド表面のデフォルト形態からの例外がないかビルド表面を検査するのに使用し得る実施形態を示す。図１８の実施形態において、少なくとも光学撮像検出器５０１が１つの位置にあるときに、ある所定の種類のパターン１８０１が光学撮像検出器５０１の視野内に現れる。さらに、パターン１８０１の位置は、光学撮像検出器５０１およびビルドプラットフォーム４０２のある相互位置決めにおいて後者が前者の視野内のパターン１８０１を部分的に覆うように、選択されている。特に、光学撮像検出器５０１およびビルドプラットフォーム４０２の前記相互位置決めにおいて、ビルド表面４０３に正確に沿って光学撮像検出器５０１から見たビューは、パターン１８０１と交差する。
【００９２】
ビルド表面４０３が清浄で平面である場合、前記相互位置決めにおいて光学撮像検出器５０１によって撮像された画像は、直線に沿ってきれいに切られたパターン１８０１を示す。光造形装置のコントローラは、マシンビジョンプロセスを実行して、これが真であるかどうか、または、画像内に見えるパターン１８０１の部分が何らかの形で歪んで見えるかどうかを検査することができる。画像内に見えるパターン１８０１の部分を区切る線のいかなる歪みも、固化した樹脂の残存物がいくつかビルド表面４０３上に残されている可能性があることを示している。
【００９３】
図１８に現れる光学撮像検出器５０１およびビルドプラットフォーム４０２の相互位置決めは、例えば、ビルドプラットフォーム４０２が、図中の矢印１８０２によって示されるように、光造形３Ｄ印刷の開始位置に向かって下方に移動するその移動中に達成され得る。前記相互位置決めを達成する別の可能性は、光学撮像検出器５０１が、光学撮像検出器５０１が設置される閉蓋の一部として、矢印１８０３によって示されるように下方に移動する場合である。また、前記相互位置決めは、ビルドプラットフォーム４０２または光学撮像検出器５０１のうちの少なくとも１つを、主としてある他の目的を果たす移動の一部としてではなく、単にこの目的のために意図的に移動させることによって達成され得る。
【００９４】
図１９は、一実施形態による光造形装置の一例のいくつかの部分を示す概略ブロック図である。
【００９５】
コントローラ１９０１は、本装置の動作において中心的な役割を果たす。構造的かつ機能的には、少なくとも１つの内蔵メモリまたは着脱可能メモリを含むことができる１つ以上のメモリに記憶された機械可読命令を実行するように構成された１つ以上のプロセッサに基づくことができる。
【００９６】
蓋機構１９０２は、作業領域を開閉する蓋を移動させる目的に役立つ機械的および電気的部品を有する。
【００９７】
ビルドプラットフォーム機構１９０３は、ビルドプラットフォームをその第１の極限位置と第２の極限位置との間で移動させる目的を果たす機械的および電気的部品を有する。また、ビルドプラットフォーム機構１９０３は、ビルドプラットフォームの正確な角度位置決めを確実にするのに役立つ部品を有し得る。
【００９８】
樹脂供給機構１９０４は、樹脂をバット内に送り出し、場合によっては、未使用の樹脂をバットからある長期保管場所に排出する目的を果たす機械的および電気的部品を有する。
【００９９】
露光発光体部１９０５は、光造形３Ｄ印刷プロセス中に樹脂の選択的光重合を引き起こす放射線を制御可能に放出する目的を果たす機械的、電気的、および光学的部品を有する。
【０１００】
露光放射器用冷却器部１９０６は、露光発光体部１９０５をその最適動作温度に維持する目的で機能する機械的、電気的、および熱的部品を有する。
【０１０１】
樹脂ヒータ部１９０７は、光造形３Ｄ印刷プロセスの間、適当な動作温度に樹脂を予備加熱し、そこに維持する目的に役立つ機械的、電気的、および熱的部品を有する。
【０１０２】
リーダおよび／またはセンサブロック１９０８は、リーダまたはセンサとして分類することができるすべてのデバイスを含み、リーダおよびセンサのいくつかは、メモリ、デジタル回路、または同様のものに情報を記憶するためのライタまたは記憶デバイスとしても働くことができる。例えば、光造形３Ｄ印刷プロセス中に樹脂を光重合すること以外の目的を果たす、前述の種類のすべての光学撮像検出器、ならびに光学発光体は、リーダおよび／またはセンサブロック１９０８に属する。
【０１０３】
光造形装置は、他のデバイスとデータを交換するためのデータインタフェース１９０９を有することができる。データインタフェース１９０９は、例えば、ある他のデバイスから、どのような種類の物体が光造形３Ｄ印刷によって生成されるべきかを記述する３Ｄモデリングデータを受信するために使用され得る。また、データインタフェース１９０９は、光造形装置の動作に関する診断データを監視コンピュータなどの他のデバイスに提供するために使用することもできる。また、データインタフェースは、クラウドコンピューティング設備のような外部データサービスに到達できるように、インターネットに接続された共通のネットワークインタフェースであってもよい。
【０１０４】
光造形装置は、１人または複数のユーザと情報を交換するためのユーザインタフェース１９１０を有することができる。ユーザインタフェース１９１０は、光造形装置の隣のユーザとの即座の対話を容易にするための有形のローカルユーザインタフェース手段を有することができる。追加的または代替的に、ユーザインタフェース１９１０は、例えば、スマートフォンまたは他のパーソナルワイヤレス通信デバイスなどの別個のユーザのデバイスにインストールされたネットワークまたはアプリケーションを介して、光造形装置の遠隔動作を容易にするためのソフトウェアおよび通信手段を有することができる。
【０１０５】
光造形装置は、電力分配ネットワークからのＡＣなどの動作電力を、装置の種々の部品によって必要とされる電圧および電流に変換し、そのような電圧および電流を装置の前記部品に安全かつ確実に送達するように構成された電源ブロック１９１１を有することができる。
【０１０６】
図２０は、光造形装置を動作させる方法を概略的に示す図である。本方法のこの実施形態は、ステップ２００１において、光学撮像検出器を使用して、光造形装置の作業領域の少なくとも一部から光学画像データを取得する工程を有する。本方法は、ステップ２００２において、光造形装置のコントローラに前記光学画像データを伝達する工程と、ステップ２００３において、前記光学画像データを光造形装置の動作の制御に使用する工程とを有する。
【０１０７】
図２１は、本方法がステップ２００１の前のステップ２１０１として、前記光造形装置のバットの一部に第１のパターンを光学的に投影する工程をどのように有することができるかを示す。この場合、図２０に示すステップ２００１は、前記パターンが投影された前記バットの前記一部の光学画像のデジタル表現を生成する工程を有することができる。一方、ステップ２００３は、前記デジタル表現を使用して前記バット内の樹脂の量を算出する工程を有することができる。ステップ２１０１で投影される第１のパターンは、前記バットのリムの一部でのレーザ光の分散反射であり得る。第１のパターンは、前記リムの一部を横切る線を有することができ、本方法は、前記デジタル表現から、前記線の残りの部分とは光学的に異なるように見える前記線の第１の部分の長さを検出する工程を有することができる。
【０１０８】
図２２は、本方法がステップ２００１の前のステップ２２０１として、前記光造形装置のビルドプラットフォームのビルド表面上に第２のパターンを光学的に投影する工程をどのように有することができるかを示す。この場合、図２０に示すステップ２００１は、第２のパターンが投影される前記ビルド表面のその部分の光学像のデジタル表現を生成する工程を有することができる。一方、ステップ２００３は、前記デジタル表現を使用して、前記ビルド表面のデフォルト形態からの例外がないか前記ビルド表面を検査する工程を有することができる。前記第２のパターンは、前記ビルド表面の前記部分を横切る線を含むことができ、本方法は、前記デジタル表現から、前記線の任意の光学的に現れる不規則性を検出する工程を有することができる。本方法は、前記光学画像内に見出される前記第２のパターンの表現を前記第２のパターンのデフォルト表現と比較する工程をさらに有することができる。この方法は、前記パターンの前記表現が前記デフォルト表現と同じであることを見つけたことに対する応答として光造形装置の動作を継続させることを許可し、または、前記パターンの前記表現が前記デフォルト表現と異なることを見つけたことに対する応答として光造形装置の動作を中断することのいずれかをさらに有することができる。
【０１０９】
図２３は、光造形装置を動作させる方法を概略的に示す図である。本方法のこの実施形態は、光造形装置のコントローラが使用履歴を取得することを可能にして、ユーザにバットの摩耗した底部について知らせることができるようにするのに特に適している。他の実施形態では、ユーザは、光造形装置のあらゆる状態、例えば、バットの摩耗した底部、バットもしくはその一部を交換する必要性、バットを洗浄する必要性、および／または他のメンテナンス関連の状態について、アラームによって通知されてもよい。
【０１１０】
図２３の方法は、ステップ２３０１において、リーダ装置を使用して使用履歴データをバットから自動的に読み取る工程を有する。ステップ２３０１で使用されるリーダ装置は、光学撮像検出器であってもよく、またはある他の種類のリーダ装置であってもよい。さらに、読み取りは、２つのステップで実行することができ、リーダは、コントローラが使用履歴データを検索することができる識別子を読み取る。
【０１１１】
また、本方法は、読み込まれたパラメータデータを前記光造形装置のコントローラに伝達する工程を有する。いくつかの実装形態では、特に、読み取りパラメータデータがメモリまたは類似のものから直接読み込まれる場合、ステップ２３０２において、例えば、コントローラが光学撮像検出器または他の種類のリーダ装置から受信したデジタル画像データに現れたビット列が所定の復号化方法に従って数値に変換されるように、読み取りパラメータデータを復号化する必要がある場合がある。また、本方法は、ステップ２３０３において、前記伝達されたパラメータデータの一部を前記光造形装置の動作パラメータの値として使用する工程を有する。ステップ２３０２は、使用履歴データを復号せずに検索できる場合には任意である。
【０１１２】
本方法は、前記伝達されたパラメータデータの前記部分を、パラメータ値の許容範囲を示す情報と比較する工程を有することができる。この種の情報は、光造形装置が安全でないか、さもなければ推奨できないパラメータ値で動作しようとしないことを保証するために、光造形装置のメモリに予め記憶されてもよい。本方法は、参照符号２３０４で示されるように、前記伝達されたパラメータデータの前記一部が前記使用履歴データ値の許容範囲内にあることを見つけたことに対する応答として光造形装置の動作を継続することを許容する工程を有することができる。また、本方法は、参照符号２３０６で示されるように、前記伝達されたパラメータデータの前記一部が前記使用履歴値の許容範囲外であることを見つけたことに対する応答としてステップ２３０５による光造形装置のバットの使用履歴状態を表示する工程を有することができる。
【０１１３】
光造形装置の通常動作が終了すると、例えば、製造された物体を仕上げた後、ステップ２３０７において、更新された使用履歴データが記憶される。これは、例えば、バットを取り外すことによって起動することができ、バットがもはや本装置に取り付けられていないことを光造形装置が検出すると、本装置は、更新された使用履歴データを、クラウドサービスなどのコンピューティングデバイスに格納する。バットが使用履歴データの書き込まれるメモリを有する場合、同様の機能が削除機能に実装されてもよい。例えば、バットは、光造形装置にロックされてもよく、使用履歴データは、ロックが開かれたときで、且つバットが解放される前に、更新される。
【０１１４】
技術の進歩に伴い、本発明の基本概念を様々な方法で実施することができることは、当業者には明らかである。したがって、本発明およびその実施形態は上述の例に限定されず、その代わりに、特許請求の範囲内で変更することができる。
【図１】
2021529686.tif 000003
【図２】
2021529686.tif 000004
【図３】
2021529686.tif 000005
【図４】
2021529686.tif 000006
【図５】
2021529686.tif 000007
【図６】
2021529686.tif 000008
【図７】
2021529686.tif 000009
【図８】
2021529686.tif 000010
【図９】
2021529686.tif 000011
【図１０】
2021529686.tif 000012
【図１１】
2021529686.tif 000013
【図１２】
2021529686.tif 000014
【図１３】
2021529686.tif 000015
【図１４】
2021529686.tif 000016
【図１５】
2021529686.tif 000017
【図１６】
2021529686.tif 000018
【図１７】
2021529686.tif 000019
【図１８】
2021529686.tif 000020
【図１９】
2021529686.tif 000021
【図２０】
2021529686.tif 000022
【図２１】
2021529686.tif 000023
【図２２】
2021529686.tif 000024
【図２３】
2021529686.tif 000025
【国際調査報告】
2021529686.tif 000026
2021529686.tif 000027